(57)【特許請求の範囲】
【請求項１】
筐体内に配置された熱交換器と、
この筐体の前面側に熱交換器の一次空気側と二次空気側とが臨み、この二次空気側を密閉する内部パネルと、
この内部パネルの前面に内部パネルを保持可能に配置され、一次空気側を含む筐体の前面領域を覆い、上端部及び下端部がヒンジを介して前記筐体に連結された開閉自在な観音式の扉体と、
この扉体の高さ方向略中央に、前記扉体を筐体側に押圧する撓み矯正機構と
を備えたことを特徴とする空気調和装置。
【請求項２】
前記撓み矯正機構は、
前記筐体側に固定され、閉時の前記扉体と略平行な長孔が形成されたブラケットと、
このブラケットの長孔に一端部が移動可能に取り付けられた連結棒と、
前記扉体に固定され、前記連結棒の他端部が取り付けられた孔部を有し、前記扉体の開時には前記孔部が前記ブラケットの長孔の延長線よりも筐体外側に位置し、扉体の閉時には前記孔部が前記ブラケットの長孔の延長線よりも筐体内側に位置するように形成されたアーム部と
を備えていることを特徴とする請求項１に記載の空気調和装置。
【発明の詳細な説明】
【技術分野】
【０００１】
本発明は、熱交換器及び送風機を備えた空気調和装置に関する。
【背景技術】
【０００２】
一般に、オフィスビル等ではフリーアクセスフロアの下に空間を形成し、この空間に冷気或いは暖気を供給し、これらの冷気または暖気を床面に形成される床吹出口から室内に噴出し、室内の空調を行うようにしたものが提案されている（例えば、特許文献１参照）。
【０００３】
このような床置き式等の空気調和装置では、一般に、筐体内に熱交換器と送風機とを備えて構成され、この筐体の前面側に熱交換器の一次空気側と二次空気側の両方を臨ませ、この筐体の前面側を覆う前面パネルは、複数本のねじを介して、これを筐体にねじ固定するようにしている。
【特許文献１】特開平６−３１７３３７号公報
【発明の開示】
【発明が解決しようとする課題】
【０００４】
しかし、従来の構成では、筐体の前面側を覆う前面パネルを、複数本のねじを介して、これを筐体にねじ固定しているため、筐体内の熱交換器や送風機等をメンテナンスする場合、すべてのねじを外す作業が困難になり、きわめてメンテナンスしにくいという問題がある。
【０００５】
そこで、本発明の目的は、上述した従来の技術が有する課題を解消し、前面パネルのねじを外すことなく、メンテナンスを簡単に行うことができる空気調和装置を提供することにある。
【課題を解決するための手段】
【０００６】
上記目的を達成するため、請求項１記載の発明は、筐体内に配置された熱交換器と、この筐体の前面側に熱交換器の一次空気側と二次空気側とが臨み、この二次空気側を密閉する内部パネルと、この内部パネルの前面に内部パネルを保持可能に配置され、一次空気側を含む筐体の前面領域を覆い、上端部及び下端部がヒンジを介して前記筐体に連結された開閉自在な観音式の扉体と、この扉体の高さ方向略中央に、前記扉体を筐体側に押圧する撓み矯正機構とを備えたことを特徴とするものである。請求項２記載の発明は、請求項１記載のものにおいて、前記撓み矯正機構は、前記筐体側に固定され、閉時の前記扉体と略平行な長孔が形成されたブラケットと、このブラケットの長孔に一端部が移動可能に取り付けられた連結棒と、前記扉体に固定され、前記連結棒の他端部が取り付けられた孔部を有し、前記扉体の開時には前記孔部が前記ブラケットの長孔の延長線よりも筐体外側に位置し、扉体の閉時には前記孔部が前記ブラケットの長孔の延長線よりも筐体内側に位置するように形成されたアーム部とを備えていることを特徴とするものである。
【発明の効果】
【０００７】
本発明によれば、扉体を開くだけでよいので、簡単にメンテナンスすることができる。
【発明を実施するための最良の形態】
【０００８】
以下、本発明の一実施形態を図面に基づいて説明する。
【０００９】
図１は、オフィスビル等でフリーアクセスフロア方式の空気調和装置として使用される、室内ユニットを示している。図２は、室内ユニットの背面、及び両側面のパネルを取り外した状態を示し、図３は、さらに室内ユニットの前面のパネルを取り外した状態を示している。
【００１０】
図３において、１はフレームによって枠組みされた筐体を示し、この筐体１の上段には、室内熱交換器３が筋交い状に配置され、下段には、送風機５が配置されている。この送風機５の吹き出し口は、図示は省略したが、筐体１の底部の開口に向いている。筐体１の上部の開口１Ａを通じて吸い込まれた空気は、室内熱交換器３の前面側に広がる一次空気側Ａに入り、この熱交換器３で熱交換した後、室内熱交換器３の背面側に広がる二次空気側Ｂに入り、この空間Ｂ内に位置する送風機５のノズル５Ａから吸い込まれて、上記筐体１の底部の開口に向いた、送風機５の吹き出し口から床下に吹き出される。
【００１１】
本実施形態では、筐体１の前面１Ｂ側に、熱交換器３の一次空気側Ａと、二次空気側Ｂとが臨んで構成されている。
【００１２】
そして、図４に示すように、二次空気側Ｂを密閉する内部パネル７を備え、この内部パネル７の前面には、当該内部パネル７を保持するように、一次空気側Ａを含む筐体１の前面領域のすべてを覆う、観音扉式に開閉自在な扉体１１，１３を備えて構成されている。
【００１３】
内部パネル７の裏面には、図５Ａに示すように、下縁爪７Ａと上縁爪７Ｂが形成され、周縁部には断熱材７Ｃが貼設される。図５Ｂに示すように、下縁爪７Ａと上縁爪７Ｂを筐体１のフレームに引っ掛け、仮止めした後、扉体１１，１３を締めると、この扉体１１，１３に押圧され、断熱材７Ｃがフレームに当接し、内部パネル７が筐体１に固定される。この内部パネル７は、ねじ止めすることなく、二次空気側Ｂを密閉できる。
【００１４】
この扉体１１，１３は、図６に示すように、筐体１に対し、吊り元側の上下二個所が丁番２１，２２で連結され、高さ方向の略中央が、扉体１１，１３の撓み矯正機構２３を介して連結されている。この撓み矯正機構２３は、図７に示すように、扉体１１，１３に固定されたアーム２３Ａと、筐体１側に固定されたブラケット２３Ｂと、両者間に掛け渡された連結棒２３Ｃとを備えている。この連結棒２３Ｃの一端はアーム２３Ａの孔２３Ｆに挿入され、連結棒２３Ｃの他端はブラケット２３Ｂの長孔２３Ｇ内に挿入されている。
【００１５】
図８Ａは、扉体１１，１３を開いた状態を示す。図８Ｂに示すように、扉体１１，１３を閉じていくと、連結棒２３Ｃの先端２３Ｄが、ブラケット２３Ｂの長孔２３Ｇ内を矢印Ｘの方向に移動し、図８Ｃの位置では、連結棒２３Ｃが筐体１のフレームと平行になる。扉体１１，１３をさらに閉じると、図８Ｄに示すように、連結棒２３Ｃの基端２３Ｅが、筐体１のフレームとほぼ平行な線の内側に入り、扉体１１，１３の略中央が筐体１側に押圧される。
【００１６】
この扉体１１，１３は、縦長の扉体であり、高さ方向の中央が筐体１から離れる方向に撓みやすい。
【００１７】
本実施形態では、この撓み矯正機構２３を備えたため、扉体１１，１３を閉じた場合の撓みが矯正される。
【００１８】
図３を参照して、筐体１の下部フレーム１０にはフォークリフト（図示せず）のフォーク爪を挿入する開口１０Ａ〜１０Ｃが、送風機５の吹出し口を避けるように形成されている。即ち、送風機５の吹出し口は、開口１０Ａと開口１０Ｂ間に形成される。開口１０Ａ〜１０Ｃは筐体１の奥行き方向に延び、最終端は開口せず、そこには図示を省略した背面パネルが配置されている。
【００１９】
フォーク爪の間隔はほぼ定まっており、この間隔が大きい場合、開口１０Ａと開口１０Ｃにフォーク爪が挿入され、この間隔が小さい場合、開口１０Ａと開口１０Ｂにフォーク爪が挿入される。開口１０Ａ〜１０Ｃの底面には底面板２０が張られ、この底面板２０には、図示を省略したアンカーボルトの貫通孔２０Ａが形成されている。これによれば、フォークリフトで搬入した後、この貫通孔２０Ａに、アンカーボルトを挿入し、これにボルト止めするだけで、室内ユニットの設置工事を完了させることができる。
【００２０】
図４に示すように、一方の扉体１１の内面には、覆いパネル１０Ｄが収納されており、室内ユニットの設置工事が完了した後、開口１０Ａ〜１０Ｃは、この覆いパネル１０Ｄを用いて覆われる。
【００２１】
以上、一実施形態に基づいて本発明を説明したが、本発明はこれに限定されるものではない。上記実施形態では、フリーアクセスフロア方式の室内ユニットについて説明したが、これに限定されるものではなく、例えば、床置き式の空気調和装置等にも適用可能である。
【図面の簡単な説明】
【００２２】
【図１】本発明による空気調和装置の一実施形態を示す斜視図である。
【図２】背面及び側面パネルを外した状態を示す斜視図である。
【図３】すべてのパネルを外した状態を示す斜視図である。
【図４】扉体を開いた状態を示す斜視図である。
【図５】Ａは内部パネルの斜視図、Ｂは断面図である。
【図６】撓み矯正機構を示す斜視図である。
【図７】撓み矯正機構の要部を示す斜視図である。
【図８】Ａ〜Ｄは、扉体が閉じられる過程を示す図である。
【符号の説明】
【００２３】
１  筐体
３  室内熱交換器
５  送風機
７  内部パネル
１０Ａ〜１０Ｃ  開口
１１，１３  扉体
２１，２２  ヒンジ
２３  撓み矯正機構Ａ 一次空気側Ｂ 二次空気側
【図１】
0004454643.tif 000002
【図２】
0004454643.tif 000003
【図３】
0004454643.tif 000004
【図４】
0004454643.tif 000005
【図５】
0004454643.tif 000006
【図６】
0004454643.tif 000007
【図７】
0004454643.tif 000008
【図８】
0004454643.tif 000009